(57)【要約】【課題】物が積層されて形成される被収容物を容易に収容して物の積層された状態がくずれないように保持し、そして収容した該被収容物を容易に取り出すことができる容器を提供する。【解決手段】複数の物体が上下方向に積層された被収容物に下方から当接する下方当接部と、該下方当接部に取り付けられ該被収容物に側方から当接し該物体の側方へのずれを制限することで該被収容物の積層した状態を保持する側方当接部であって、該側方当接部の少なくとも一部である回動部が外方向に回動することで該被収容物が通過可能な通過開口を形成する側方当接部と、を備えてなる該被収容物を収容する容器である。また、前記容器に収容された前記被収容物の上方への所定量以上の移動を前記被収容物に上方から当接して制限する上方当接部を、さらに備えるものであってもよい。【選択図】  図１
2004217284.tif 000002
【特許請求の範囲】
【請求項１】
複数の物体が上下方向に積層された被収容物に下方から当接する下方当接部と、該下方当接部に取り付けられ該被収容物に側方から当接し該物体の側方へのずれを制限することで該被収容物の積層した状態を保持する側方当接部であって、該側方当接部の少なくとも一部である回動部が外方向に回動することで該被収容物が通過可能な通過開口を形成する側方当接部と、を備えてなる該被収容物を収容する容器。
【請求項２】
前記容器に収容された前記被収容物の上方への所定量以上の移動を前記被収容物に上方から当接して制限する上方当接部を、さらに備えるものである、請求項１に記載の容器。
【請求項３】
前記回動部が外方向に回動することを制限する回動制限手段を、さらに備えるものである、請求項１又は２に記載の容器。
【請求項４】
前記被収容物の上方に前記物体が通過可能な上部開口が、前記通過開口と連続するように存するものである、請求項１に記載の容器。
【請求項５】
前記容器に収容された前記被収容物の上方への所定量以上の移動を前記被収容物に上方から当接して制限する上方当接部を、さらに備えるものである、請求項４に記載の容器。
【請求項６】
前記上方当接部が、前記被収容物に上方から当接する当接状態と、前記被収容物に当接せず前記物体が前記上部開口を通過可能にする非当接状態と、の両状態をとりうるものである、請求項５に記載の容器。
【請求項７】
前記回動部が外方向に回動することを制限する回動制限手段を、さらに備えるものであり、
前記回動制限手段が、前記回動部とその他の部分とを連結する連結部材により構成され、
該連結部材が、前記上方当接部を兼ねるものである、請求項５又は６に記載の容器。
【請求項８】
前記回動部に持ち手が設けられ、
該持ち手を所定の方法にて把持して前記容器を持ち上げると、前記回動部を内方向に回動させる力が前記回動部に加わるものである、請求項１乃至７のいずれかに記載の容器。
【請求項９】
前記容器に収容された前記被収容物に接触する部分が、前記被収容物よりも柔らかい材質によって形成されたものである、請求項１乃至８のいずれかに記載の容器。
【発明の詳細な説明】
【０００１】
【発明の属する技術分野】
本発明は、容器に関し、より詳細には、複数の物体が上下方向に積層された被収容物を収容するための容器に関する。
【０００２】
【従来の技術】
皿、茶碗、どんぶり、盆等のような物は、搬送や収納等の際に互いに上下方向に積層された状態とされ、さらに、かかる積層された状態がくずれないように積層された状態で容器に収容されることが多い。
この容器は、これらの物が積層されて形成される被収容物に下方から当接して支持する下方当接部（主として、該被収容物の重さを支える。）と、上述したようにこれらの物の積層された状態がくずれないように、積層されたそれぞれの物が側方にある程度以上ずれないように該被収容物に側方から当接する側方当接部（主として、該被収容物を構成するそれぞれの物が側方にずれて積層状態が乱れることを防止する。）と、を備えているものが多い（無論、下方当接部と側方当接部とは固定されている。）。
【０００３】
例えば、同一複数枚の円盤状の皿を上下方向に積層した被収容物を考えると、それぞれの皿の外縁（円盤の外周部分）は、第１の円柱（円盤の直径と同じ直径を有する円柱）の側面に略接するので、該第１の円柱よりもやや直径の大きな第２の円柱の側面に沿うように側方当接部を形成し、該第２の円柱の底面部分に最下部の皿の下面に当接し該被収容物の重さを支える下方当接部を形成する。このとき該第２の円柱の直径は、皿の積層された状態がくずれないよう、積層されたそれぞれの皿が側方にある程度以上ずれない程度に決められる。
なお、側方当接部は、皿の積層された状態がくずれないよう、積層されたそれぞれの皿が側方にある程度以上ずれないように該被収容物に側方から当接することができるものであればいかなるものであってもよく、該第２の円柱の側面と同じ形状（即ち、曲面状）に形成される必要は必ずしもなく、例えば、該第２の円柱の側面に沿って線材（例えば、針金等）によって形成されたものであってもよい。また、下方当接部も同様に、該被収容物の重さを支えることができるものであればいかなるものであってもよく、該第２の円柱の底面と同じ形状（即ち、平面状）に形成される必要は必ずしもなく、例えば、該第２の円柱の底面に沿って線材（例えば、針金等）によって形成されたものであってもよい。
【０００４】
以上説明したような下方当接部と側方当接部とを備えた容器に、物が上下方向に積層されて形成される被収容物を収容すれば、被収容物の重さは主として下方当接部が支えると共に、積層されたそれぞれの物が側方にある程度以上ずれないように側方当接部が被収容物に側方から当接するので、物が積層された状態がくずれず被収容物を搬送したり収納することができるので便利である。
このような容器は様々な場面にて使用されてきたが、例えば、学校給食に用いる食器（例えば、皿、茶碗、どんぶり等）を、給食センタ（給食を調製する施設）と学校との間で搬送する際に多用されてきた（上下方向に積み重ねた食器を上述の容器に収容し、その収容された状態で搬送される。）。
【０００５】
【発明が解決しようとする課題】
しかしながら、上述した従来の容器は、物が積層されて形成される被収容物が該容器に収容された際に、該被収容物と側方当接部との間が狭くなるように構成されるので（物の積層された状態がくずれない程度に、積層されたそれぞれの物が側方にある程度以上ずれないように側方当接部は被収容物に側方から当接する必要があるため、側方当接部と被収容物との間はあまり広くとることができない。）、物が積層されて形成される被収容物をこのような容器に収容したり、このような容器から取り出すことは難儀な場合が多い。
【０００６】
即ち、かかる容器は上部に開口を有しているものが多く、該開口を経由して被収容物を容器に収容したり容器から取り出すことが多い。
まず、被収容物を容器に収容する場合、被収容物を構成している積層された物の下端を支持しつつ被収容物を容器に装入して収容する必要があり、このとき該下端を支持する手が側方当接部と擦れあったり衝突することがあり、このため被収容物を容器に円滑に収容することができなかったり時には手に怪我をすることすらあった。
そして、被収容物を容器から取り出す場合、被収容物を構成している積層された物の下端を支持しつつ被収容物を容器から取り出せば一度に被収容物を取り出すことができるが、このときもやはり該下端を支持する手が側方当接部と擦れあったり衝突することがあり、このため被収容物を容器から円滑に取り出すことができなかったり時には手に怪我をすることすらあった。また、これを防止又は減少させるために、被収容物を構成している積層された物を上部から少しずつ取り出すことも可能であるが、被収容物を容器から取り出すのに時間や労力がかかりすぎる問題があった。
【０００７】
そこで、本発明では、物が積層されて形成される被収容物を容易に収容して物の積層された状態がくずれないように保持し、そして収容した該被収容物を容易に取り出すことができる容器を提供することを目的とする。
【０００８】
【課題を解決するための手段】
本発明の容器（以下、「本容器」という。）は、複数の物体が上下方向に積層された被収容物に下方から当接する下方当接部と、該下方当接部に取り付けられ該被収容物に側方から当接し該物体の側方へのずれを制限することで該被収容物の積層した状態を保持する側方当接部であって、該側方当接部の少なくとも一部である回動部が外方向に回動することで該被収容物が通過可能な通過開口を形成する側方当接部と、を備えてなる該被収容物を収容する容器である。
こうすることで下方当接部が、複数の物体が上下方向に積層された被収容物に下方から当接することで、主として被収容物の重さを支える。そして、下方当接部に取り付けられた側方当接部が、被収容物に側方から当接し該物体（上下方向に積層されることで被収容物を構成している物）の側方へのずれを制限することで被収容物の積層した状態を保持する。また、本容器においては、側方当接部の少なくとも一部である回動部が外方向に回動することで該被収容物が通過可能な通過開口を形成する。なお、ここにいう「外方向に回動」とは、本容器に収容される被収容物から遠ざかる方向に回動することをいう。
このため回動部が外方向に回動して形成される通過開口を該被収容物が通過することができるので、本容器は、回動部を外方向に回動させて形成される通過開口から被収容物を容易に収容することができ（被収容物の下端を支持しつつそのまま被収容物を容器に装入することができる。）、その後、回動部を閉じ通過開口を閉じれば（従来の容器と同様）物の積層された状態がくずれないように保持することができ、さらに、被収容物を収容した状態で回動部を外方向に回動させて通過開口を形成すれば通過開口を経由して、収容された該被収容物を容易に取り出すことができる（被収容物の下端を支持しつつそのまま被収容物を容器から取り出すことができる。）。
なお、側方当接部は、被収容物に側方から当接し該物体のすべての側方へのずれを制限するようにしてもよい。こうすることで被収容物の積層した状態を一層うまく保持することができる。
【０００９】
前記容器に収容された前記被収容物の上方への所定量以上の移動を前記被収容物に上方から当接して制限する上方当接部を、さらに備えるものであってもよい。こうすることで、上方当接部が、本容器に収容された前記被収容物の上方への所定量以上の移動を前記被収容物に上方から当接して制限するので、被収容物を収容した本容器が傾いたり揺すられる（本容器が搬送される場合には特に起こりやすい）ことがあっても被収容物を構成する物体の位置関係が変化して被収容物の積層した状態が乱れることを防止又は減少させることができる。
【００１０】
前記回動部が外方向に回動することを制限する回動制限手段を、さらに備えるものであってもよい。
こうすることで回動制限手段が、回動部が外方向に回動することを制限するので、回動部が外方向に不意に回動することを防止し、本容器に収容された被収容物が不意に通過開口から脱出することを防止することができる。
【００１１】
前記被収容物の上方に前記物体が通過可能な上部開口が、前記通過開口と連続するように存するもの（以下、「上部開口所有容器」という。）であってもよい。こうすることで通過開口と連続する上部開口から前記物体（被収容物を構成する物体）を取り出したり、上部開口を経由して前記物体を装入することを容易かつ迅速に行うことができる（即ち、本容器に収容されている被収容物を構成する前記物体を、通過開口から手を差し入れ上部開口から取り出す際に、該手が移動することを本容器が邪魔しない。また、逆に、前記物体を手で把持して上部開口を経て装入する際も、該手が移動することを本容器が邪魔しない。）。
また、このような上部開口と通過開口とを有することで、本容器の使用方法の態様が増える。例えば、被収容物を一括で取り出したり装入する場合には通過開口を経由して、被収容物を構成する一部の前記物体を取り出したり装入する場合には上部開口を経由して行うことができ、便利である。
【００１２】
上部開口所有容器の場合、前記容器に収容された前記被収容物の上方への所定量以上の移動を前記被収容物に上方から当接して制限する上方当接部を、さらに備えるもの（以下、「上部開口上部当接部所有容器」という。）であってもよい。
こうすることで上方当接部が、本容器に収容された前記被収容物の上方への所定量以上の移動を前記被収容物に上方から当接して制限するので、被収容物を収容した本容器が傾いたり揺すられる（本容器が搬送される場合には特に起こりやすい）ことがあっても被収容物を構成する物体の位置関係が変化して被収容物の積層した状態が乱れることを防止又は減少させることができる。そして、被収容物を収容した本容器が傾いたり揺すられることがあっても、上部開口から物体が不意に飛び出すことを有効に防止することができる。
【００１３】
上部開口上部当接部所有容器の場合、前記上方当接部が、前記被収容物に上方から当接する当接状態と、前記被収容物に当接せず前記物体が前記上部開口を通過可能にする非当接状態と、の両状態をとりうるもの（以下、「両状態可能容器」という。）であってもよい。
こうすることで上方当接部が、本容器に収容された被収容物の上方への所定量以上の移動を被収容物に上方から当接して制限する必要があるときは当接状態とし、上部開口に物体を通過させたいときは非当接状態とすることができるので、上述したように、被収容物の積層した状態が乱れることを防止又は減少させたり上部開口から物体が不意に飛び出すことを有効に防止することができると共に、上部開口を経由した物体の出し入れを可能ならしめる。
【００１４】
上部開口上部当接部所有容器の場合（両状態可能容器の場合を含む。）、前記回動部が外方向に回動することを制限する回動制限手段を、さらに備えるものであり、前記回動制限手段が、前記回動部とその他の部分とを連結する連結部材により構成され、該連結部材が、前記上方当接部を兼ねるものであってもよい。
こうすることで回動制限手段が、回動部が外方向に回動することを制限するので、回動部が外方向に不意に回動することを防止し、本容器に収容された被収容物が不意に通過開口から脱出することを防止することができる。そして、回動制限手段が、回動部とその他の部分とを連結する連結部材により構成されるので、回動制限手段を簡単に構成することができる。さらに、連結部材が上方当接部を兼ねるのでこれら両者を別個に形成する必要がないので、本容器の構成を簡単にし製造コスト及び重量を低減することができる。
【００１５】
また、本容器においては、前記回動部に持ち手が設けられ、該持ち手を所定の方法にて把持して前記容器を持ち上げると、前記回動部を内方向に回動させる力が前記回動部に加わるものであってもよい。
こうすることで持ち手により本容器を搬送しやすくなり、さらに、持ち手を持って本容器を搬送している際、回動部を内方向に回動させる力が回動部に加わるので、回動部が外方向に不意に回動することを防止し、本容器に収容された被収容物が不意に通過開口から脱出することを防止することができる。
【００１６】
前記容器に収容された前記被収容物に接触する部分が、前記被収容物よりも柔らかい材質によって形成されたものであってもよい。
こうすることで本容器に収容された被収容物が、本容器と擦れたり衝突しても（被収容物を収容した本容器を搬送等する際、被収容物と本容器とが擦れたり衝突することが生じやすい。）被収容物が傷つきにくい。
なお、ここにいう「被収容物よりも柔らかい材質」とは、被収容物のうち本容器と擦れたり衝突する部分を形成している材質に比して硬さ（通常、ヴィッカース硬さ）が小さい材質をいう。
【００１７】
【発明の実施の形態】
以下、本発明の実施の形態を図面を参照して説明する。しかしながら、これらによって本発明は何ら制限されるものではない。
【００１８】
図１は、一実施形態の本発明の容器（本容器）１１を示す斜視図である。図１を参照して、本容器１１について説明する。
ここでは本容器１１は、学校給食に用いるどんぶり（おかず等を収納するためのものであり、上下方向に積層可能なもの。本発明にいう「物品」である。）を、複数枚（通常、２０枚程度）上下方向に積層したもの（本発明にいう「被収容物」である。）を、給食センタ（給食を調製する施設）と学校との間で搬送する際に用いられる容器である。
【００１９】
本容器１１は、底板２１（下方当接部）と、底板２１の両主表面のうち上面２１ａに下端が固定的に取り付けられた固定部分３１と、底板２１の両主表面のうち上面２１ａに下端が回動自在に取り付けられた回動部分４１と、固定部分３１の上端に一端が回動自在に取り付けられた第１持ち手５１と、回動部分４１の上端に一端が回動自在に取り付けられた第２持ち手６１と、回動部分４１の上端に一端が回動自在に取り付けられた連結部分７１と、底板２１の縁部のうち固定部分３１と回動部分４１との間の部分に沿ってかつ該縁部よりもやや上方に設けられた滑り出し防止棒８１ａ、８１ｂと、を備えている。
なお、ここで「上」と「下」とは、底板２１の両主表面のうち下面（両主表面のうち上面２１ａではない方をいう。）が水平面に載置された際の鉛直上方向と鉛直下方向とをそれぞれいい、具体的には、図１中、「上」を矢印Ｂ１により示し、「下」を矢印Ｂ２により示した。
【００２０】
底板２１は、平板状のステンレス鋼板を所定形状に切削加工されて形成されたステンレス板部２０ａと、その上面に貼着されたシリコンマット２０ｂと、を有してなる。ステンレス板部２０ａは、学校給食に用いるどんぶり（物品）を複数枚（通常、２０枚程度）上下方向に積層したもの（被収容物）の重さを十分な強度で支えることができる程度の厚みを有している。そして、シリコンマット２０ｂは、薄く柔軟なシリコンゴムシートを円形に切断したもので形成されており、学校給食に用いるどんぶり（物品）を複数枚（通常、２０枚程度）上下方向に積層したもの（被収容物）が底板２１に載置された際に、どんぶりが積層されたものの下面が傷つかないようにするためにステンレス板部２０ａに貼着されている（即ち、どんぶりが積層されたものの下面の全面が、シリコンマット２０ｂに接触する。）。
このような底板２１は、後述するように学校給食に用いるどんぶり（物品）を複数枚（通常、２０枚程度）上下方向に積層したもの（被収容物）にその上面２１ａが下方から当接することで被収容物の重さをうまく支えることができるように形成されている。具体的には、学校給食に用いるどんぶり（物品）を複数枚上下方向に積層したもののうち最下部に位置するどんぶり（物品）の下面に、底板２１の上面２１ａが下方から当接し、該積層したものを安定して支持することができるようになっている。
【００２１】
固定部分３１は、底板２１の上面２１ａに対して長手方向が略垂直方向に向くように取り付けられた複数本（具体的には、５本）の縦部材３１ａと、縦部材３１ａに固定された横部材３１ｂ１、３１ｂ２と、複数本（具体的には、５本）の縦部材３１ａの上端を連結する上端部材３１ｃと、上端部材３１ｃの近傍に取り付けられたフック部３３と、を有してなる。
複数本の縦部材３１ａは、底板２１の上面２１ａに描かれた円周（仮想的なもので実在及び図示のいずれもしない。）に沿って略等間隔で上面２１ａに（上方に向かってのびるように）取り付けられている。複数本の縦部材３１ａはいずれも略同じ長さを有している。
横部材３１ｂ１、３１ｂ２は、縦部材３１ａのうち所定のものを水平方向に連結するものであり、固定部分３１の強度を向上させる。
上端部材３１ｃは、複数本（具体的には、５本）の縦部材３１ａの上端を水平方向に連結するように該上端に固定されている。
フック部３３は、後述するように連結部分７１の先端に形成された係合部７８（係合リング部７８ｃ）と係合可能に形成されている。
なお、ここでは図示していないが、底板２１の上面２１ａに載置された学校給食に用いるどんぶり（物品）を複数枚上下方向に積層したもの（被収容物）が接する可能性がある固定部分３１の部分（ここでは具体的には、縦部材３１ａの全部）には、シリコンゴムによって形成されたチューブが外嵌されている。
【００２２】
回動部分４１は、底板２１の上面２１ａに形成された貫通穴に遊嵌された真っ直ぐな貫通棒４３（上面２１ａと略平行な回動軸の周りに回動自在である。）と、貫通棒４３の長手方向に対して略垂直方向に長手方向が向くように貫通棒４３の両端に一端が取り付けられた縦部材４５ａ、４５ｂ（なお、縦部材４５ａ、４５ｂの長さは略同じ。）と、縦部材４５ａの他端と縦部材４５ｂの他端とを水平方向に連結する上端部材４７と、を有してなる。このため回動部分４１は、貫通棒４３（の中心軸）を中心として自由に回動することができるようになっている。
また、回動部分４１を貫通棒４３（の中心軸）を中心として回動させた際、上面２１ａからの上端部材４７の最高高さは、上面２１ａからの上端部材３１ｃの高さとほぼ同じになるように構成されている。
なお、ここでは図示していないが、底板２１の上面２１ａに載置された学校給食に用いるどんぶり（物品）を複数枚上下方向に積層したもの（被収容物）が接する可能性がある回動部分４１の部分（ここでは具体的には、縦部材４５ａ、４５ｂ）には、シリコンゴムによって形成されたチューブが外嵌されている。
【００２３】
連結部分７１は、上端部材４７に外嵌（遊嵌）されるリング部７３ａを一端側に有する第１棒材７３と、上端部材４７に外嵌（遊嵌）されるリング部７４ａを一端側に有する第２棒材７４と、第１棒材７３と第２棒材７４とを連結する連結棒７５と、第１棒材７３の他端と第２棒材７４の他端とに取り付けられた係合部７８と、を有してなる。このため連結部分７１は、上端部材４７を中心として回動自在になっている。
【００２４】
ここに図２は、係合部７８及びその近傍を拡大した拡大図である。図２を参照して係合部７８について説明する。係合部７８は、第１棒材７３の他端と第２棒材７４の他端とに取り付けられた取付板部７８ａと、取付板部７８ａに対して図示しない蝶番によって蝶番回動軸７８ｂａの周りに回動自在（図２中、矢印Ｆ方向）に取り付けられた回動ブロック部７８ｂと、回動ブロック部７８ｂから先端方向（図２中、矢印Ｃ方向）に向けて突出し回動ブロック部７８ｂに対して回動自在（図２中、矢印Ｄ方向）な係合リング部７８ｃと、を有してなる。蝶番回動軸７８ｂａは、回動ブロック部７８ｂが取付板部７８ａに面する部分のうち先端近傍（図２中、矢印Ｃ方向）に存すると共に、先端方向（図２中、矢印Ｃ方向）に対して略垂直かつ略水平方向に向いている。このような係合部７８においては、回動ブロック部７８ｂを蝶番回動軸７８ｂａの周りに矢印Ｆ方向に回動させれば（回動ブロック部７８ｂの後端には突出するように指掛け部７８ｂｃが形成されており、指掛け部７８ｂｃに指を掛けて引き上げるように力を加えることで回動ブロック部７８ｂを容易に回動させることができる。）、（蝶番回動軸７８ｂａの方が、係合リング部７８ｃが回動ブロック部７８ｂに回動自在に取り付けられた位置７８ｃｃよりも先端方向（図２中、矢印Ｃ方向）に位置するため）係合リング部７８ｃを先端方向（図２中、矢印Ｃ方向）に移動させることができる。
また、逆に、矢印Ｆ方向に回動された回動ブロック部７８ｂを蝶番回動軸７８ｂａの周りに矢印Ｆ方向とは逆方向に回動させれば、係合リング部７８ｃを先端方向（図２中、矢印Ｃ方向）とは逆方向に移動させることができる。
ここで矢印Ｆ方向に回動ブロック部７８ｂを回動させた状態（係合リング部７８ｃが先端方向（図２中、矢印Ｃ方向）に移動した状態）では、係合リング部７８ｃをフック部３３に係合させることと、フック部３３に係合した係合リング部７８ｃの係合を解くことと、を自由に行うことができる。一方、係合リング部７８ｃをフック部３３に係合させた後、矢印Ｆ方向に回動された回動ブロック部７８ｂを蝶番回動軸７８ｂａの周りに矢印Ｆ方向とは逆方向に回動させれば、係合リング部７８ｃを先端方向（図２中、矢印Ｃ方向）とは逆方向に移動させることで、フック部３３に係合した係合リング部７８ｃの係合を解くことができなくなる（図２に示した状態。なお、この図２に示した状態から回動ブロック部７８ｂを蝶番回動軸７８ｂａの周りに矢印Ｆ方向に回動させるには、所定大きさ以上の力（前述したように、指掛け部７８ｂｃに指を掛けて引き上げるようにすることで加えることができる程度の力）を回動ブロック部７８ｂに加える必要があるように構成されているので、先端方向（図２中、矢印Ｃ方向）への通常の大きさの力が係合リング部７８ｃに加わっても、回動ブロック部７８ｂは矢印Ｆ方向に回動せず、フック部３３に係合した係合リング部７８ｃの係合は不意に解かれることがない。）。このように回動ブロック部７８ｂを蝶番回動軸７８ｂａの周りに回動させることで、係合リング部７８ｃをフック部３３に係合させること、係合リング部７８ｃをフック部３３に係合させた状態を保持すること（図２に示した状態）、フック部３３に係合した係合リング部７８ｃの係合を解くこと、を自由に行うことができる。
【００２５】
第１持ち手５１は、上端部材３１ｃに外嵌（遊嵌）される一対のリング部５３ａ、５３ｂと、「コ」の字形を略形成し両端にリング部５３ａ、５３ｂが取り付けられた本体部５５と、全体として紡錘形状になるようにコイル状に巻かれ本体部５５に外嵌された把持部５７と、を有してなる。
このため第１持ち手５１は、上端部材３１ｃを中心として回動自在になっていると共に、把持部５７を手で容易かつ確実に把持することができる。
【００２６】
第２持ち手６１は、上端部材４７に外嵌（遊嵌）される一対のリング部６３ａ、６３ｂと、「コ」の字形を略形成し両端にリング部６３ａ、６３ｂが取り付けられた本体部６５と、全体として紡錘形状になるようにコイル状に巻かれ本体部６５に外嵌された把持部６７と、を有してなる。
このため第２持ち手６１は、上端部材４７を中心として回動自在になっていると共に、把持部６７を手で容易かつ確実に把持することができる。
また、本体部６５には、第１持ち手５１の本体部５５と嵌脱自在のとめ金６９が取り付けられている。とめ金６９は、本体部５５を嵌入することができる溝６９ａを有しており、第１持ち手５１と第２持ち手６１とを互いに内側方向に回動させ略水平方向に向けたとき、第１持ち手５１と第２持ち手６１とを互いに固定することができる（従って、第１持ち手５１と第２持ち手６１とを互いに固定しておけば、搬送等するときに第１持ち手５１と第２持ち手６１とが不意に揺動等することを防止することができる。）。
【００２７】
滑り出し防止棒８１ａ、８１ｂは、底板２１の縁部のうち固定部分３１と回動部分４１との間の部分に沿ってかつ該縁部よりもやや上方に設けられており、後述する学校給食に用いるどんぶり（物品）を複数枚（通常、２０枚程度）上下方向に積層したもの（被収容物）を底板２１の上面２１ａに載置した場合に上面２１ａが傾く等して該上下方向に積層したもの（被収容物）がずれて底板２１の上面２１ａから脱落することを防止する（該上下方向に積層したもの（被収容物）が上面２１ａ上をある程度移動すると、滑り出し防止棒８１ａ、８１ｂが該上下方向に積層したもの（被収容物）に当接しそれ以上の移動を防止する。）。
【００２８】
次いで、図１及び図２を参照しつつ本容器１１の使用方法について説明する。
まず、図１に示した状態から、回動ブロック部７８ｂを蝶番回動軸７８ｂａの周りに矢印Ｆ方向に回動させる（特に、図２を参照されたい。）。これによって係合リング部７８ｃを先端方向（図２中、矢印Ｃ方向）に移動させ、フック部３３に係合した係合リング部７８ｃの係合を解く。
次いで、連結部分７１を上端部材４７を中心として図１中時計方向（図１中、矢印Ｇ方向）に回動させる。そして、それと一緒に、回動部分４１も貫通棒４３（の中心軸）を中心として図１中時計方向（図１中、矢印Ｈ方向）に回動させる。
図３は、かかる状態において、被収容物１０１を底板２１の上面２１ａに載置したところを示す斜視図である。なお、ここでは被収容物１０１は、学校給食に用いるどんぶり１０３（物品）を所定の枚数（通常、２０枚程度）上下方向に積層したものである。
【００２９】
図３に示した状態から、今度は、回動部分４１を貫通棒４３（の中心軸）を中心として図３中反時計方向（図３中、矢印Ｊ方向）に回動させると共に、連結部分７１を上端部材４７を中心として図３中反時計方向（図３中、矢印Ｋ方向）に回動させる。
そして、回動ブロック部７８ｂを蝶番回動軸７８ｂａの周りに矢印Ｆ方向に回動させる（特に、図２を参照されたい。）。これによって係合リング部７８ｃを先端方向（図２中、矢印Ｃ方向）に移動させ、係合リング部７８ｃをフック部３３に係合させる。その後、矢印Ｆ方向に回動された回動ブロック部７８ｂを蝶番回動軸７８ｂａの周りに矢印Ｆ方向とは逆方向に回動させ（特に、図２を参照されたい。）、係合リング部７８ｃを先端方向（図２中、矢印Ｃ方向）とは逆方向に移動させることで、フック部３３に係合した係合リング部７８ｃの係合を解くことができない状態にする（図１及び図２に示した状態）。
【００３０】
以上説明したようにしてどんぶり１０３を所定枚数積層した被収容物１０１を、本容器１１に収容することができる。なお、被収容物１０１を収容した本容器１１においては、被収容物１０１は、底板２１と固定部分３１と回動部分４１と連結部分７１とによって取り囲まれ、本容器１１から脱落することを防止される。
また、被収容物１０１を収容した本容器１１においては、連結部分７１（第１棒材７３と第２棒材７４）が、被収容物１０１の上面に弱く当接するように形成されており、被収容物１０１が上方へ所定量以上移動することを被収容物１０１に上方から当接して制限する。
即ち、本容器１１に収容された被収容物１０１は、複数のどんぶり１０３が上下方向に積層された状態を安定して保持しつつ本容器１１に収容されることができる。
また、被収容物１０１を収容した本容器１１は、第１持ち手５１（把持部５７）と第２持ち手６１（把持部６７）とを手で把持して搬送等することができ、加えて、第１持ち手５１と第２持ち手６１とを用いないときには、前述したとめ金６９によって互いに固定することもできる。
【００３１】
以上説明したように、本容器１１は、複数の物体（どんぶり１０３）が上下方向に積層された被収容物１０１に下方から当接する下方当接部たる底板２１と、下方当接部たる底板２１に取り付けられ被収容物１０１に側方（ここでは水平方向。図１中、矢印Ｂ１と矢印Ｂ２とに対して垂直方向。）から当接し物体（どんぶり１０３）の側方へのずれを制限することで被収容物１０１の積層した状態を保持する側方当接部（ここでは固定部分３１と回動部分４１とによって構成されている。）であって、該側方当接部（固定部分３１及び回動部分４１）の少なくとも一部である回動部（ここでは回動部分４１）が外方向（図１中、矢印Ｈ方向）に回動することで被収容物１０１が通過可能な通過開口（図３中、通過開口３０１として示した。）を形成する側方当接部（固定部分３１及び回動部分４１）と、を備えてなる被収容物１０１を収容する容器である。
また、ここでは側方当接部（固定部分３１及び回動部分４１）は、被収容物１０１に側方から当接し物体（どんぶり１０３）のすべての側方へのずれを制限するようなっている。
【００３２】
また、本容器１１においては、被収容物１０１の上方に物体（どんぶり１０３）が通過可能な上部開口（図３中、上部開口２０１として示した。）が、通過開口（図３中、通過開口３０１として示した。）と連続するように存する。
そして、本容器１１に収容された被収容物１０１の上方への所定量以上の移動を被収容物１０１に上方から当接して制限する上方当接部たる連結部分７１を、本容器１１はさらに備えている。
加えて、上方当接部たる連結部分７１が、被収容物１０１に上方から当接する当接状態（被収容物１０１を図１に示すような状態で収容した状態。なお、図１には被収容物１０１を図示していない。）と、被収容物１０１に当接せず物体（どんぶり１０３）が上部開口（図３中、上部開口２０１）を通過可能にする非当接状態と、の両状態をとりうる。
また、回動部（ここでは回動部分４１）が外方向（図１中、矢印Ｈ方向）に回動することを制限する回動制限手段たる連結部分７１を、本容器１１はさらに備えるものであり（連結部分７１が、フック部３３と上端部材４７とを連結することで、回動部分４１が外方向（図１中、矢印Ｈ方向）に回動することを制限する。）、回動制限手段たる連結部分７１が、回動部（回動部分４１）とその他の部分（ここでは固定部分３１）とを連結する連結部材により構成され、該連結部材（連結部分７１）が、上方当接部（連結部分７１）を兼ねている。
【００３３】
また、本容器１１においては、回動部（回動部分４１）に持ち手たる第２持ち手６１が設けられ、該持ち手（第２持ち手６１）を所定の方法（ここでは第２持ち手６１の把持部６７と、第１持ち手５１の把持部５７と、を１の手によって一緒に把持する方法）にて把持して本容器１１を持ち上げると、回動部（回動部分４１）を内方向に回動させる力が回動部（回動部分４１）に加わるようになっている。即ち、ここでは第２持ち手６１の把持部６７と、第１持ち手５１の把持部５７と、を１の手によって一緒に把持した場合、第２持ち手６１は縦部材４５ａ、４５ｂの長手方向よりも内側に回動した状態になるので、回動部（回動部分４１）を内方向に回動させる力が回動部（回動部分４１）に加わる。
【００３４】
また、本容器１１においては、本容器１１に収容された被収容物１０１に接触する部分が、被収容物１０１よりも柔らかい材質によって形成されている。具体的には、固定部分３１の縦部材３１ａの全部に、シリコンゴムによって形成されたチューブが外嵌されていると共に、底板２１はステンレス板部２０ａに貼着されたシリコンマット２０ｂを有している。
なお、ここでは被収容物１０１は陶器（どんぶり１０３）であるので、前述のシリコンゴム製チューブを構成するシリコンゴムと、シリコンマット２０ｂを構成するシリコンゴムと、のいずれも被収容物１０１よりも柔らかい材質である。
【図面の簡単な説明】
【図１】一実施形態の本発明の容器（本容器）を示す斜視図である。
【図２】係合部及びその近傍を拡大した拡大図である。
【図３】被収容物を底板の上面に載置したところを示す斜視図である。
【符号の説明】
１１            本発明の容器（本容器）
２０ａ          ステンレス板部
２０ｂ          シリコンマット
２１            底板
２１ａ          上面
３１            固定部分
３１ａ          縦部材
３１ｂ１、３１ｂ２  横部材
３１ｃ          上端部材
３３            フック部
４１            回動部分
４３            貫通棒
４５ａ、４５ｂ  縦部材
４７            上端部材
５１            第１持ち手
５３ａ、５３ｂ  リング部
５５            本体部
５７            把持部
６１            第２持ち手
６３ａ、６３ｂ  リング部
６５            本体部
６７            把持部
６９            とめ金
６９ａ          溝
７１            連結部分
７３            第１棒材
７３ａ          リング部
７４            第２棒材
７４ａ          リング部
７５            連結棒
７８            係合部
７８ａ          取付板部
７８ｂ          回動ブロック部
７８ｂａ        蝶番回動軸
７８ｂｃ        指掛け部
７８ｃ          係合リング部
７８ｃｃ        位置
８１ａ、８１ｂ  滑り出し防止棒
１０１            被収容物
１０３            どんぶり
２０１            上部開口
３０１            通過開口
【図１】
2004217284.tif 000003
【図２】
2004217284.tif 000004
【図３】
2004217284.tif 000005